(57)【要約】【課題】複数部数を指定してのリモートコピー機能または重連コピー機能の実行時に、設定した項目が意図した通りに正しく実行されていることを事前に確認することを可能にする。【解決手段】ネットワーク１６で接続された少なくとも２つの画像形成装置９，１３からなる画像形成システムにおいて、第１の画像形成装置９が、第２の画像形成装置１３に画像データを送信し、第２の画像形成装置１３が、前記送信された画像データに基づく複数部数の画像形成を実行するに先立って、予め１部数分だけの画像形成を自装置に実行させる。この実行結果に応じて、第２の画像形成装置１３が、前記送信された画像データに基づき前記複数部数の残余分の画像形成を自装置に実行させる。【選択図】      図１
2004221889.tif 000002
【特許請求の範囲】
【請求項１】
ネットワークで接続された少なくとも２つの画像形成装置からなる画像形成システムにおいて、
第１の画像形成装置に設けられ、第２の画像形成装置に画像データを送信する送信手段と、
前記第２の画像形成装置に設けられ、前記送信された画像データに基づく複数部数の画像形成を実行するに先立って、予め１部数分だけの画像形成を自装置に実行させる第１の画像形成指示手段と、
前記第２の画像形成装置に設けられ、前記送信された画像データに基づき、少なくとも前記複数部数の残余分の画像形成を自装置に実行させる第２の画像形成指示手段と
を有することを特徴とする画像形成システム。
【発明の詳細な説明】
【０００１】
【発明の属する技術分野】
本発明は、画像形成システムに関し、特に、ネットワークで接続された少なくとも２つの画像形成装置からなる画像形成システムに関する。
【０００２】
【従来の技術】
従来、ある１つの複写機におけるスキャン装置から読み込んだ画像を、他の複写機に転送してプリントさせるという「リモートコピー」という機能が存在する。
【０００３】
また、例えば各部毎にホチキス止めを行うというような各種の項目を設定でき、複数部数を指定してコピー処理を実行できる複写機において、１部だけを先ずプリントし、設定した項目が意図した通り正しく実行されていることを予め確認できるようにした「お試しコピー」という機能も存在する（例えば、特許文献１参照）。
【０００４】
さらに、１つの複写機のスキャン装置から読み込んだ画像を複数の複写機に分けてプリントさせる「重連コピー」という機能も存在する。
【０００５】
【特許文献１】
特開平１０−２８５３１８号公報
【０００６】
【発明が解決しようとする課題】
しかしながら、従来、リモートコピー機能の実行時に、お試しコピー機能を同時に実行することはできず、そのため、全部数がプリントされてしまい、設定した項目が意図した通りに正しく実行されていることを事前に確認することができなかった。すなわち、設定した項目が意図した通りに正しく実行されていない場合、従来、全部数のプリント後に（プリントを途中で中止することはできるが、事情は同じ）設定を変更して印刷をやり直すため、無駄な印刷出力や処理時間を要していた。
【０００７】
また、重連コピー機能の実行時に、お試しコピー機能を同時に実行することはできず、上記の問題と同じ問題が発生する。
【０００８】
本発明はこのような問題点に鑑みてなされたものであって、複数部数を指定してのリモートコピー機能または重連コピー機能の実行時に、設定した項目が意図した通りに正しく実行されていることを事前に確認することを可能にした画像形成システムを提供することを目的とする。
【０００９】
【課題を解決するための手段】
上記目的を達成するために、本発明によれば、ネットワークで接続された少なくとも２つの画像形成装置からなる画像形成システムにおいて、第１の画像形成装置に設けられ、第２の画像形成装置に画像データを送信する送信手段と、前記第２の画像形成装置に設けられ、前記送信された画像データに基づく複数部数の画像形成を実行するに先立って、予め１部数分だけの画像形成を自装置に実行させる第１の画像形成指示手段と、前記第２の画像形成装置に設けられ、前記送信された画像データに基づき前記複数部数の残余分の画像形成を自装置に実行させる第２の画像形成指示手段とを有することを特徴とする画像形成システムが提供される。
【００１０】
【発明の実施の形態】
以下、本発明の実施の形態を、図面を参照して説明する。
【００１１】
［第１の実施の形態］
図１は、本発明に係る画像形成装置（画像処理装置）の第１の実施の形態における構成および該画像形成装置に接続される周辺機器を示すシステムブロック図である。
【００１２】
本発明に係る画像形成装置９は、リーダ部１と、プリンタ部２と、コントローラ部３と、操作部５００とを有し、コントローラ部３の中に、モデム通信部４、ネットワーク処理部７、ＰＤＬ展開部８、コア部１０を有する。
【００１３】
リーダ部１は、画像形成装置９にセットされた原稿の画像を読み取り、原稿画像に応じた画像データを、コア部１０を介して、プリンタ部２へ出力する。プリンタ部２は、リーダ部１から送られた画像データに応じて画像を記録紙上に記録する。
【００１４】
コンピュータ１１はパーソナルコンピュータまたはワークステーション（ＰＣ／ＷＳ）であり、例えば、ＰＤＬプリントデータを、ネットワーク１６を介して画像形成装置９に送る。画像形成装置９では、ＰＤＬプリントデータを、ネットワーク処理部７、コア部１０を介して受け取ったＰＤＬ展開部８が、ＰＤＬデータを、プリンタ部２で記録できる画像データに展開し、コア部１０を介して、プリンタ部２へ送り、そこでプリントが行われる。
【００１５】
ファックス装置１４は画像データを公衆回線網１５を介して、例えば画像形成装置９に送り、画像形成装置９では、モデム通信部４を介してコア部１０が受信し、プリンタ部２で受信画像がプリントされる。また、画像形成装置９のリーダ部１で読み取られた原稿画像が、コア部１０、モデム通信部４を介して公衆回線網１５に送信され、例えば、ファックス装置１４で受信される。
【００１６】
コンピュータ１２はパーソナルコンピュータまたはワークステーション（ＰＣ／ＷＳ）である。
【００１７】
画像形成装置１３は、本発明に係る画像形成装置であり、画像形成装置９との間でリモートコピーや重連コピーなどの分散印刷を行うために使用される。内部構成は、画像形成装置９と全く同じである。
【００１８】
なお、図１に示すシステム構成は一例であり、図示の構成に限定されるものではない。
【００１９】
図２は、本発明に係る画像形成装置９、１３の機械的構成の一例を示す断面図である。
【００２０】
本発明に係る画像形成装置は、画像形成装置本体（複写装置本体）１００、デッキ１５０、循環式自動原稿送り装置（ＲＤＦ）１８０、フィニッシャ１９０から大略構成される。
【００２１】
画像形成装置本体１００は、プラテンガラス１０１、スキャナ１０２、走査ミラー１０４、１０５、１０６、レンズ１０８、ＣＣＤセンサ（イメージセンサ部）１０９、感光体ドラム１１０、１次帯電器１１２、前露光ランプ１１４、クリーニング装置１１６、転写帯電器１１８、露光制御部１２０、現像器１２１、転写ベルト１３０、上段カセット１３１、下段カセット１３２、ピックアップローラ１３３、１３４、給紙ローラ１３５、１３６、レジストローラ１３７、吸着帯電器１３８、転写ベルトローラ１７０、定着前帯電器１３９、１４０、定着器１４１、排紙ローラ１４２、排紙フラッパ１５４、反転パス１５５、再給紙トレイ１５６、多重フラッパ１５７、搬送パス１５８、給紙ローラ１５９、経路１６０、排出ローラ１６１、第１の送りローラ１６２、第２の送りローラ１６２ａ、反転ローラ１６３を備えている。
【００２２】
上記構成における動作を以下に詳述する。
【００２３】
なお、図１におけるリーダ部１は、図２のプラテンガラス１０１〜ＣＣＤセンサ１０９に対応し、図１におけるプリンタ部２は、図２の感光体ドラム１１０〜反転ローラ１６３に対応する。
【００２４】
まず、リーダ部１において、プラテンガラス１０１は、原稿載置台である。スキャナ１０２は、原稿照明ランプ１０３、走査ミラー１０４等で構成される。スキャナ１０２は、不図示のモータにより所定方向に往復走査され、原稿からの反射光１０７が、走査ミラー１０４〜１０６、レンズ１０８を介してＣＣＤセンサ１０９に至り結像する。ＣＣＤセンサ１０９に結像した光像は電気信号に変換され、図示しないスキャナ画像処理部によって、Ａ／Ｄ変換、シェーディング補整が行われ、後述するコア部１０のデータ処理部３２６を介して、メモリ３２４に、デジタル画像データとして蓄積される。
【００２５】
次にプリンタ部２について説明する。まず露光制御部１２０が、レーザ、ポリゴンスキャナ等で構成されており、コア部１０のメモリ３２４に蓄積されたデジタル画像データをメモリ３２４から読み出し、後述するコア部１０のデータ処理部３２６が、デジタル画像データからビデオ信号に変換し、Ｉ／Ｆ３２７を介してプリンタ部２に送る。
【００２６】
プリンタ部２では、そのビデオ信号に基づいて変調されたレーザ光１２９が感光体ドラム１１０に照射される。感光体ドラム１１０の周りには、１次帯電器１１２、現像器１２１、転写帯電器１１８、クリーニング装置１１６、前露光ランプ１１４が装備されている。感光体ドラム１１０を中心とした画像形成部１２６において、感光体ドラム１１０は、不図示のモータにより図中矢印方向に回転しており、１次帯電器１１２により所望の電位に帯電された後、露光制御部１２０からのレーザ光１２９が照射され、静電潜像が形成される。
【００２７】
一方、上段カセット１３１或いは下段カセット１３２からピックアップローラ１３３、１３４により給紙された転写紙は、給紙ローラ１３５、１３６により本体に送られ、レジストローラ１３７により転写ベルトに給送される。そして、可視化されたトナー像が転写帯電器１１８により転写紙に転写される。転写後の感光体ドラム１１０では、クリーニング装置１１６により残留トナーが清掃され、前露光ランプ１１４により残留電荷が消去される。転写後の転写紙は転写ベルト１３０から分離され、定着前帯電器１３９、１４０に送られ、そこでトナーが再帯電される。その後、転写紙は定着器１４１に送られ、そこで加圧、加熱されて定着を行われ、排紙ローラ１４２により本体１００の外に排出される。
【００２８】
吸着帯電器１３８は、レジストローラ１３７から送られた転写紙を転写ベルト１３０に吸着させる。転写ベルトローラ１７０は、転写ベルト１３０の回転に用いられると同時に、吸着帯電器１３８と対になって、転写ベルト１３０に転写紙を吸着帯電させる。
【００２９】
画像形成装置本体１００には、例えば４０００枚の転写紙を収納し得るデッキ１５０が装備されている。デッキ１５０のリフタ１５１は、給紙ローラ１５２に転写紙が常に当接するように転写紙の量に応じて上昇する。また、画像形成装置本体１００には、例えば１００枚の転写紙を収容し得るマルチ手差し１５３が装備されている。
【００３０】
排紙フラッパ１５４は、両面記録側または多重記録側に排紙側の経路を切り替える。排紙ローラ１４２から送り出された転写紙は、この排紙フラッパ１５４により設定された両面記録側または多重記録側に送り出される。多重フラッパ１５７は、両面記録と多重記録の経路を切り替えるものであり、これを左方向に倒すことにより、反転パス１５５を介さず、直接、搬送パス１５８に転写紙を導く。給紙ローラ１５９は、経路１６０を介して転写紙を感光体ドラム１１０側に給紙する。
【００３１】
排出ローラ１６１は排紙フラッパ１５４の近傍に配置されて、この排紙フラッパ１５４により排出側に切り替えられた転写紙を機外に排出する。両面記録（両面複写）時には、排紙フラッパ１５４を上方に上げて、多重フラッパ１５７を右に倒し、記録（複写）済みの転写紙を反転パス１５５に一旦送った後、多重フラッパ１５７を左に倒し、搬送パス１５８を介して裏返した状態の転写紙を再給紙トレイ１５６に格納する。また、多重記録（多重複写）時には、排紙フラッパ１５４を上方に上げて、多重フラッパ１５７を左に倒し、記録（複写）済みの転写紙を搬送パス１５８を介して再給紙トレイ１５６に格納する。再給紙トレイ１５６に格納されている転写紙は、下から１枚ずつ給紙ローラ１５９により経路１６０を介して本体のレジストローラ１３７に導かれる。
【００３２】
本体から転写紙を反転して排出する時には、排紙フラッパ１５４を上方へ上げ、多重フラッパ１５７を右方向へ倒し、記録（複写）済みの転写紙を搬送パス１５５側へ搬送し、転写紙の後端が第１の送りローラ１６２を通過した後に、反転ローラ１６３によって第２の送りローラ１６２ａ側へ搬送し、排出ローラ１６１によって転写紙を裏返して機外へ排出する。また、機外へ排出された転写紙は、フィニッシャ１９０に搬送される。
【００３３】
フィニッシャ１９０は、画像形成装置１００で印刷された転写紙をスタックするものである。パス１９３は、画像形成装置１００で印刷された転写紙を受け取る経路である。ローラ１９７は、パス１９３から搬送された転写紙を、パス１９５あるいはパス１９６に送り出すものである。パス１９５へ送り出すには、排紙フラッパ１９４を下方に移動し、パス１９６へ送り出すには、排紙フラッパ１９４を上方に移動させる。そして、パス１９６を通った場合は、ローラ１９８によってビン１９２に排紙される。パス１９５を取った場合は、そのままビン１９２に排紙される。例えば、コピーを行った場合は、転写紙をビン１９１に排紙し、ＰＤＬプリントを行った場合は、ビン１９２に排紙することで、ユーザの利便性が上がる。
【００３４】
図３は、本発明に係る画像形成装置９、１３のコア部１０の内部構成を示すブロック図である。
【００３５】
コア部１０は、インターフェース部（Ｉ／Ｆ）３２０、３２２、３２８、３２７、データ処理部３２１、３２６、ＣＰＵ３２３、メモリ３２４を備えている。
【００３６】
こうした構成におけるコア部１０において、リーダ部１からの画像データは、Ｉ／Ｆ３２２を介してデータ処理部３２１へ転送される。データ処理部３２１では、画像の回転処理や変倍処理などの画像処理を行う。そして、データ処理部３２１から出力された画像データは、ＣＰＵ３２３を介してメモリ３２４に、デジタル画像データとして蓄積される。また、この画像データは、操作部５００からの制御コマンドに応じて、ＣＰＵ３２３、データ処理部３２６、Ｉ／Ｆ３２７を介して、プリンタ部２へ転送される。また、ＣＰＵ３２３、Ｉ／Ｆ３２０を介してモデム通信部４、ネットワーク処理部７へ転送される。
【００３７】
ネットワーク処理部７を介してコア部１０に入力された画像を表すコードデータは、Ｉ／Ｆ３２０を介してＣＰＵ３２３へ転送される。ＣＰＵ３２３では、転送されたコードデータがＰＤＬコードであると判定された場合、このＰＤＬコードが、Ｉ／Ｆ３２０を介してＰＤＬ展開部９へ転送され、そこで、画像ビットマップデータに展開される。この画像ビットマップデータは、Ｉ／Ｆ３２０、ＣＰＵ３２３を介してメモリ３２４へ蓄積される。このメモリ３２４に蓄積された画像ビットマップデータは、ＣＰＵ３２３、データ処理部３２６、Ｉ／Ｆ３２７を介してプリンタ部２へ転送され、プリントされる。
【００３８】
モデム処理部４からコア部１０に入力されたファックス画像データは、Ｉ／Ｆ３２０、ＣＰＵ３２３を介してデータ処理部３２６へ転送され、その後、Ｉ／Ｆ３２７を介してプリンタ２へ転送される。
【００３９】
ＣＰＵ３２３は、メモリ３２４に記憶されている制御プログラム、及びＩ／Ｆ３２８経由で操作部５００から受けた制御コマンドに従って、上述した各処理を行う。また、メモリ３２４はＣＰＵ３２３の作業領域としても使われる。
【００４０】
このように、本画像形成装置では、コントローラ部３のコア部１０を中心に、原稿画像の読み取り、画像のプリント、画像の送受信、画像の保存、コンピュータからのデータの入出力などの機能を複合させた処理を行うことが可能である。
【００４１】
図４は、本発明に係る画像形成装置の操作部５００（図１参照）の表示部に表示される基本画面を示す図である。
【００４２】
なお、この表示部はタッチパネルとなっており、画面に表示される機能の枠内を触れることにより、その機能が実行される。
【００４３】
コピーモードキー５２４は、複写動作を行う場合に押すキーである。このコピーモードキー５２４が押されたときに、表示画面５３０に、コピーモードが設定されていることが表示される。拡張機能キー５０１は、両面複写、多重複写、移動、綴じ代の設定、枠消しの設定等を行う際に押されるべきキーである。
【００４４】
ステータスライン５４０は、機器の状態や印刷情報を示すメッセージを表示する。ここでは、「コピーできます。」という初期設定の表示になっている。
【００４５】
画像モードキー５０２は、複写画像に対して網掛け、影付け、トリミング、マスキングを行うためのモードに本画像形成装置を設定するためのキーである。ユーザモードキー５０３は、モードメモリの登録や、標準モード画面の設定を行うためのモードに本画像形成装置を設定するためのキーである。応用ズームキー５０４は、原稿のＸ方向、Ｙ方向を独立に変倍するモード、原稿サイズと複写サイズから変倍率を計算するズームプログラムのモードに本画像形成装置を設定するためのキーである。Ｍ１キー５０５、Ｍ２キー５０６、Ｍ３キー５０７は、それぞれに登録されたモードメモリを呼び出す際に押すキーである。オプションキー５０９は、フィルムから直接複写するため、フィルムプロジェクタ等のオプション機能の設定を行うためのキーである。
【００４６】
ソータキー５１０は、ソート、ノンソート、グループの設定を行うためのキーである。原稿混載キー５１１は、原稿フィーダにＡ４サイズとＡ３サイズの原稿を、またはＢ５サイズとＢ４サイズの原稿を一緒にセットする際に押すキーである。
【００４７】
等倍キー５１２は、複写倍率を１００％にする際に押すキーである。縮小キー５１４、拡大キー５１５は、定型の縮小、拡大を行う際に押すキーである。用紙選択キー５１３は、複写用紙の選択を行う際に押すキーである。濃度キー５１８、５２０は複写濃度を調整するためのキーであり、キー５１８を押す毎に濃く複写され、キー５２０を押す毎に薄く複写される。濃度表示部５１７は複写濃度を表示する部分であり、濃度キー５１８、５２０を押すたびに表示マークが左右に変化する。ＡＥキー５１９は、新聞のように地肌の濃い原稿を自動濃度調整複写するときに押すキーである。
【００４８】
ＨｉＦｉキー５２１は、写真原稿のような中間調の濃度を有する原稿の複写の際に押すキーである。文字強調キー５２２は、文字原稿の複写において文字を際だたせたい場合に押すキーである。ガイドキー５２３は、キーの機能がわからないとき押すキーであり、そのキーの機能説明が表示される。ファックスキー５２５は、ファックス送信を行うときに押すキーであり、ファイルキー５２６は、ファイルデータを出力したいときに押すキーである。プリンタキー５２７は、プリントの濃度を変更する場合や、リモートのホストコンピュータから送られたＰＤＬデータのプリント出力詳細情報を参照したい場合に押すキーである。
【００４９】
履歴キー５６０は、印刷済みのジョブの履歴情報を表示するためのキーである。例えば、印刷ジョブの終了時刻、ユーザ名、ファイル名、印刷枚数等の情報を表示する。
【００５０】
プリンタ選択キー６００は、リモートコピーを行う場合の受信側複写機（画像形成装置）を選択する際に押す、本発明に係るキーである。このキーを押下すると、図５に示す画面が表示される。
【００５１】
図５は、図４におけるプリンタ選択キー６００を押した際に操作部５００に表示される画面を示す図である。この画面を用いて、リモートコピーの受信側の複写機が選択される。
【００５２】
この画面において、複写機名称欄７００には、ネットワークに接続されている受信側となり得る他の複写機の名称が表示される。状況表示欄７０１には、対応の複写機が本画像形成装置と通信できているか否かが示される。通信が正常ならＯＫ、異常か、受信側の複写機の電源がＯＦＦならば、ＮＧと表示される。
【００５３】
ＩＰアドレス欄７０２には、対応の複写機のＩＰアドレスが表示される。
【００５４】
例えば、図５の画面は、総務ＧＰ２１５という複写機が本画像形成装置と通信可能であり、該複写機のＩＰアドレスが、１２３．４５６．７８９．０００であることを示している。
【００５５】
ＩＰアドレス指定欄７０３には、この部分をタッチした後、テンキー（図示せず）によりＩＰアドレスを入力することができ、この入力後に検索キー７０９を押すと、このＩＰアドレスに対応する複写機を検索することができる。この検索の結果、新規の受信側の複写機が見つかった場合、名称欄７０４に、その新規の受信側の複写機の名称が表示され、状況欄７０５にＯＫが表示される。一定時間検索しても見つからなかったときは、例えば「複写機が見つかりません」等のメッセージが図５の画面の上部に表示される。
【００５６】
下スクロールキー７０６、上スクロールキー７０７は、受信側の複写機の一覧が一画面で表示しきれない場合、画面をスクロールするためのキーである。重連キー７０８は、指定した受信側複写機との間で重連コピーを行う場合に押すキーである。このキーは押されることで表示が反転し（背景が黒くなり）、重連コピーが設定されていることを表示し、もう一度押されることで表示が元に戻り（背景が白くなり）、重連コピーではなくリモートコピーが設定されていることを表示する。また、複写機を指定する場合は、指定したい複写機の名称欄をタッチし、表示を反転させる。図５に示す例では、総務ＧＰ２１５が指定されている。
【００５７】
ＯＫキー７１０は、指定したい複写機の名称欄をタッチして受信側複写機を指定し、この複写機にリモートコピーを行わせたい場合に押すキーであり、ＯＫキー７１０が押されると、操作部５００の表示画面が図６に示す画面に変化する。すなわち、図６は、図５において受信側複写機が選択され、ＯＫキー７１０が押された場合に操作部５００に表示される画面を示す図であり、図６の画面は、図４の画面においてお試しコピーキー６０１が新たに追加表示されたものである。受信側複写機を指定して、図６の画面に移った場合、前述のようにお試しコピーキー６０１が表示されると同時に、プリンタ選択キー６００が反転した表示となる。また、受信側複写機を指定せず図４に戻った場合は、プリンタ選択キーの表示は反転しない。ここで、ステータスライン５４０には、リモートコピーが「総務ＧＰ２１５」機器で行われること、プリントが５部設定されていることが表されている。
【００５８】
図６の画面においてお試しコピーキー６０１を押下すると、図７に示す画面が操作部５００に表示され、送信側、受信側のうちのどの複写機にお試しコピーを行うかを選択することができる。
【００５９】
図７は、図６の画面においてお試しコピーキー６０１が押下された場合に操作部５００に表示される画面を示す図である。
【００６０】
この画面において、送信側複写機にお試しコピーを出力する場合はキー８０１を、受信側複写機にお試しコピーを出力する場合はキー８０２を押下する。キー８０１またはキー８０２を押下すると、そのキーの表示が反転し、その後、プリント開始キー８０３を押下すればお試しコピーが開始される。ここで、送信側複写機のスキャナで読み込んだ画像を受信側複写機で５部印刷出力するリモートコピーの実行を開始したとする。なお、キャンセルキー８０４を押下すると、図６の画面に戻る。
【００６１】
図８は、お試しコピー１部のプリントが出力された後に操作部５００に表示される画面を示す図である。
【００６２】
図中、表示部９０１には現在設定されている部数からお試しコピー分である１部を引いた数、この場合は４が表示される。部数変更キー９０２は、現在設定されている部数を変更する際に押下するキーである。このキーを押下すると、図９に示すような、部数を指定するための画面が表示される。
【００６３】
図８に戻って、プリント開始キー９０３は、実際に全部数をコピーさせるときに押すキーである。キャンセルキー９０４を押下すると、コピー自体がキャンセルされる。
【００６４】
図９は、図８の画面において部数変更キー９０２を押下した場合に表示される画面を示す図である。すなわち、図８に示す画面上に、ポップアップで画面が開き、部数設定が可能となる。表示部９１１には現在の部数が表示されており、ここに、図示しないテンキーにより数字を入力することができる。ＯＫキー９１２を押下すると、ポップアップ画面が閉じ、図８に戻る。
【００６５】
次に、図１０および図１１を参照して、上記のお試しコピーの処理について説明する。
【００６６】
図１０および図１１は、第１の実施の形態におけるお試しコピーの処理手順を示すフローチャートである。この処理手順では、リモートコピーを行う際に、送信側あるいは受信側の画像形成装置（複写機）において、全部数のプリント実行に先だって１部だけ試しプリントを行い、その後に全部数のプリントを実行する。
【００６７】
まずステップＳ５０１において、濃度設定や紙サイズ設定等各種動作モードの設定を行った後、受信側の複写機の選択を行う。ステップＳ５０２では、選択した複写機がコピー（プリント）可能か否かを判断し、例えば、両面コピーを行うのに、受信側の複写機に両面ユニットが無い場合など、コピーが行えない場合は、ステップＳ５０３に進んで、操作部５００の表示画面の上部（図４の表示画面５３０）に警告メッセージを表示する。例えば図１において、送信側複写機９が受信側複写機１３とネットワーク１６を介して通信を行い、受信側複写機１３の両面ユニットの装着状況等、受信側複写機１３の情報を取得する。この情報を基にして、送信側複写機９は受信側複写機１３がコピー（プリント）可能か否かを判断し、受信側複写機１３がコピーを行えない場合は、操作部５００の表示画面に警告メッセージを表示する。警告メッセージを表示した後は、ステップＳ５０１に戻る。
【００６８】
ステップＳ５０４では、お試しコピー６０１キーを押下することでお試しコピーの設定を行い、送信側または受信側の複写機をお試しコピーを行う機器として選択する。ステップＳ５０５では、お試しコピーを行うべく選択された機器が送信側の複写機であるか、受信側の複写機であるかを判別する。送信側の複写機であればステップＳ５０６へ進み、受信側の複写機であればステップＳ５１４へ進む。
【００６９】
お試しコピーを行うべく選択された機器が送信側の複写機である場合、ステップＳ５０６において、プリント開始キー８０３が押下されると、送信側複写機が原稿画像をスキャンし、画像データをメモリ３２４に蓄積する。ステップＳ５０７で、送信側複写機のＣＰＵ３２３がメモリ３２４から画像データを読み出し、お試しコピーのプリントを実行する。この結果得られた印刷結果をユーザが観察して、設定した印刷項目が意図した通りに正しく実行されているか否かを判断する。なお、このとき、動作モード設定等は保たれたまま印刷が一次的に中断されている。そして、この判断に基づき、ステップＳ５０８で、ユーザが、リモートコピーを続行するか、キャンセルするかを選択する。キャンセルする場合はキャンセルキー９０４を押下することでコピー自体が終了する。リモートコピーを続行すると判断した場合は、プリント開始キー９０３を押し、ステップＳ５０９に進み、残り部数の表示を行う。
【００７０】
ステップＳ５１０では、図８に示す部数変更キー９０２が押されたか否かによって、部数を変更するか否かを判別する。部数を変更する場合はステップＳ５１１に進み、図９に示す画面において部数を入力し、図８のプリント開始キー９０３を押下することでプリントが開始され、ステップＳ５１２に進む。ステップＳ５１０で、部数変更キー９０２が押されず、図８のプリント開始キー９０３が押されて、部数を変更しないと判別された場合も、プリントが開始され、ステップＳ５１２に進む。
【００７１】
ステップＳ５１２では、送信側複写機のメモリ３２４から原稿画像データを読み出し、これを、ネットワーク処理部７、ネットワーク１４を介して受信側複写機へ転送する。ステップＳ５１３では、受信側複写機のネットワーク処理部７が画像情報を受信し、メモリ３２４に一時蓄える。そして、メモリ３２４に格納された原稿画像データを読み出し、データ処理部３２６を介して、プリンタ部２に転送し、部数分のプリントを行い、終了する。
【００７２】
一方、お試しコピーを行う機器として受信側複写機が選択されていた場合にはステップＳ５１４において、プリント開始キー８０３が押下されと、送信側複写機は原稿画像をスキャンし、画像データをメモリ３２４に蓄積する。ステップＳ５１５では、メモリ３２４から原稿画像データを読み出し、それを、ネットワーク処理部７、ネットワーク１４を介して受信側複写機１３へ転送する。ステップＳ５１６では、ネットワーク処理部７を介して画像情報を受信した受信側複写機のＣＰＵ３２３が、その画像情報をメモリ３２４に一時蓄える。ＣＰＵ３２３は、格納された原稿画像データを読み出し、データ処理部３２６を介して、プリンタ部２に転送し、１部だけプリントを行う。お試しコピーのプリントが実行されると、この結果得られた印刷結果をユーザが観察して、設定した印刷項目が意図した通りに正しく実行されているか否かを判断する。なお、このとき、動作モード設定等は保たれたまま印刷が一次的に中断されている。そして、この判断に基づき、ステップＳ５１７で、ユーザが、リモートコピーを続行するか、キャンセルするかを選択する。キャンセルする場合はキャンセルキー９０４を押下することでコピー自体が終了する。リモートコピーを続行すると判断した場合は、プリント開始キー９０３を押し、ステップＳ５１８に進み、残り部数の表示を行う。
【００７３】
ステップＳ５１９では、図８に示す部数変更キー９０２が押されたか否かによって、部数を変更するか否かを判別する。部数を変更する場合はステップＳ５２０に進み、図９に示す画面において部数を入力し、図８のプリント開始キー９０３を押下することでプリントが開始され、ステップＳ５２１に進む。ステップＳ５１９で、部数変更キー９０２が押されず、図８のプリント開始キー９０３が押されて、部数を変更しないと判別された場合も、プリントが開始され、ステップＳ５２１に進む。
【００７４】
ステップＳ５２１では、送信側複写機が部数情報のみを受信側複写機に転送する。ステップＳ５２２では、受信側複写機が部数情報のみを受け取り、受信側複写機のメモリ３２４から画像データを読み出し、データ処理部３２６を介してプリンタ部２に転送し、部数分のプリントを行い、終了する。
【００７５】
以上説明したように、第１の実施の形態では、複数部数のリモートコピー実行時において、ユーザは自分が設定した印刷項目が意図通り実行されることを予め確認することができるので、無駄な印刷出力をせずにすみ、用紙やトナーなどの浪費を防ぐことができる。またこの結果、出力終了までの時間も短縮される。さらに、ユーザの利便性向上も期待できる。
【００７６】
本実施の形態では、受信側複写機でお試しプリントを行う際にも、部数の再設定や印刷の再開を送信側複写機で行うようにしたが、これらの指示を受信側複写機から指示できるようにしてもよい。この場合、操作者は送信側装置まで戻る手間を省くことができ、さらに迅速に出力結果を得ることができる。
【００７７】
［第２の実施の形態］
次に第２の実施の形態を説明する。
【００７８】
第２の実施の形態の構成は、基本的に第１の実施の形態の構成と同じである。そのため、第２の実施の形態の説明においては、第１の実施の形態の構成を流用し、異なる部分だけを説明する。
【００７９】
第２の実施の形態では、図４におけるプリンタ選択キー６００は、重連コピーを行う場合の受信側複写機（画像形成装置）を選択する際に押すキーである。このキーを押下すると、図５に示す画面が表示される。
【００８０】
図５に示す操作部５００に表示される画面を用いて、重連コピーの受信側の複写機が選択される。図５の中で重連キー７０８は、前述のように、指定した受信側複写機との間で重連コピーを行う場合に押すキーである。このキーは押されることで表示が反転し（背景が黒くなり）、重連コピーが設定されていることを表示し、もう一度押されることで表示が元に戻り（背景が白くなり）、重連コピーではなくリモートコピーが設定されていることを表示する。
【００８１】
ＯＫキー７１０は、指定したい複写機の名称欄をタッチして受信側複写機を指定し、この複写機に重連コピーを行わせたい場合に押すキーであり、ＯＫキー７１０が押されると、操作部５００の表示画面が図６に示す画面に変化する。ここで、第１の実施の形態と異なり、表示画面５３０の表示では全部数で１０部設定されていることが表され、ステータスライン５４０には、そのうち、送信元複写機ｉＲ２２００でプリントが５部、重連コピーの受信側の機器は総務ＧＰ２１５が選択され、プリントが５部設定されていることが表示される。
【００８２】
図６の画面においてお試しコピーキー６０１を押下すると、図１２に示す画面が操作部５００に表示され、お試しコピーを行わせるべき複写機を選択することができる。選択できるのは、送信側複写機、受信側複写機、送信側および受信側の両複写機である。
【００８３】
図１２は、図６の画面においてお試しコピーキー６０１が押下された場合に操作部５００に表示される画面を示す図である。
【００８４】
この画面において、送信側複写機にお試しコピーを出力する場合はキー８１１を、受信側複写機にお試しコピーを出力する場合はキー８１２を、送信側および受信側の両複写機にお試しコピーを出力する場合はキー８１３を押下する。キー８１１、キー８１２、またはキー８１３を押下すると、そのキーの表示が反転し、その後、プリント開始キー８１４を押下すればお試しコピーが開始される。キャンセルキー８１５を押下すると、図６の画面に戻る。
【００８５】
図１３は、お試しコピー１部のプリントが出力された後に操作部５００に表示される画面を示す図である。
【００８６】
図中、表示部９１１には現在設定されている部数からお試しコピー数分１部を引いた数、この場合は９が表示される。部数変更キー９１２は、現在設定されている部数を変更する際に押下するキーである。このキーを押下すると、図９に示すような、部数を指定するための画面が表示される。
【００８７】
図１３に戻って、プリント開始キー９１３は、実際に全部数をコピーさせるときに押すキーである。キャンセルキー９１４を押下すると、コピー自体がキャンセルされる。
【００８８】
次に、図１４乃至図１６を参照して、第２の実施の形態におけるお試しコピーの処理について説明する。
【００８９】
図１４乃至図１６は、第２の実施の形態におけるお試しコピーの処理手順を示すフローチャートである。この処理手順では、重連コピーを行う際に、送信側、受信側、または送受信側双方の画像形成装置（複写機）において、全部数のプリント実行に先だって１部だけ試しプリントを行い、その後に全部数のプリントを実行する。
【００９０】
まずステップＳ５５１において、濃度設定や紙サイズ設定等各種動作モードの設定を行った後、受信側の複写機の選択を行う。ステップＳ５５２では、選択した複写機がコピー（プリント）可能か否かを判断し、例えば、両面コピーを行うのに、受信側の複写機に両面ユニットが無い場合など、コピーが行えない場合は、ステップＳ５５３に進んで、操作部５００の表示画面の上部（図４の表示画面５３０）に警告メッセージを表示する。
【００９１】
ステップＳ５５４では、お試しコピー６０１キーを押下することでお試しコピーの設定を行い、送信側、受信側、または送受信側双方の複写機をお試しコピーを行う機器として選択する。ステップＳ５５５では、お試しコピーを行うべく選択された機器が送信側の複写機であるか、受信側の複写機であるか、送受信側双方の複写機であるかを判別する。送信側の複写機であればステップＳ５５６へ進み、受信側の複写機であればステップＳ５６５へ進み、送受信側双方の複写機であるならばステップＳ６０１へ進む。
【００９２】
お試しコピーを行うべく選択された機器が送信側の複写機である場合、ステップＳ５５６において、図１２のプリント開始キー８１４が押下されると、送信側複写機が原稿画像をスキャンし、画像データをメモリ３２４に蓄積する。ステップＳ５５７で、送信側複写機のＣＰＵ３２３がメモリ３２４から画像データを読み出し、お試しコピーのプリントを実行する。この結果得られた印刷結果をユーザが観察して、設定した印刷項目が意図した通りに正しく実行されているか否かを判断する。なお、このとき、動作モード設定等は保たれたまま印刷が一次的に中断されている。そして、この判断に基づき、ステップＳ５５８で、ユーザが、重連コピーを続行するか、キャンセルするかを選択する。キャンセルする場合は図１３のキャンセルキー９１４を押下することでコピー自体が終了する。重連コピーを続行すると判断した場合は、図１３のプリント開始キー９１３を押し、ステップＳ５５９に進み、残り部数の表示を行う。
【００９３】
ステップＳ５６０では、図１３に示す部数変更キー９１２が押されたか否かによって、部数を変更するか否かを判別する。部数を変更する場合はステップＳ５６１に進み、図９に示す画面において部数を入力し、図１３のプリント開始キー９１３を押下することでプリントが開始され、ステップＳ５６２およびステップＳ５６３に進む。ステップＳ５６０で、部数変更キー９１２が押されず、図１３のプリント開始キー９１３が押されて、部数を変更しないと判別された場合も、プリントが開始され、ステップＳ５６２およびステップＳ５６３に進む。
【００９４】
ステップＳ５６２は送信側複写機でのプリント処理であり、ステップＳ５６３、Ｓ５６４は受信側複写機でのプリント処理であり、双方の処理は並行して行われる。
【００９５】
ステップＳ５６２では、送信側複写機が指定部数分（例えば、送信側、受信側で半分ずつ）プリントを行う。ステップＳ５６３では、送信側複写機が、メモリ３２４から原稿画像データを読み出し、ネットワーク処理部７、ネットワーク１６を介して受信側複写機へ転送する。ステップＳ５６４では、受信側複写機がネットワーク処理部７を介して画像情報を受信し、自装置のメモリ３２４に一時蓄える。そして、格納された原稿画像データを読み出し、データ処理部３２６を介して、プリンタ部２に転送し、指定部数分プリントを行い、終了する。
【００９６】
お試しコピーを行う機器として受信側複写機が選択されていた場合にはステップＳ５６５において、図１２のプリント開始キー８１４が押下されと、送信側複写機は原稿画像をスキャンし、画像データをメモリ３２４に蓄積する。ステップＳ５６６では、メモリ３２４から原稿画像データを読み出し、それを、ネットワーク処理部７、ネットワーク１４を介して受信側複写機へ転送する。ステップＳ５６７では、ネットワーク処理部７を介して画像情報を受信した受信側複写機のＣＰＵ３２３が、その画像情報をメモリ３２４に一時蓄える。ＣＰＵ３２３は、格納された原稿画像データを読み出し、データ処理部３２６を介して、プリンタ部２に転送し、１部だけプリントを行う。お試しコピーのプリントが実行されると、この結果得られた印刷結果をユーザが観察して、設定した印刷項目が意図した通りに正しく実行されているか否かを判断する。なお、このとき、動作モード設定等は保たれたまま印刷が一次的に中断されている。そして、この判断に基づき、ステップＳ５６８で、ユーザが、重連コピーを続行するか、キャンセルするかを選択する。キャンセルする場合は図１３のキャンセルキー９１４を押下することでコピー自体が終了する。重連コピーを続行すると判断した場合は、図１３のプリント開始キー９１３を押し、ステップＳ５６９に進み、残り部数の表示を行う。
【００９７】
ステップＳ５７０では、図１３に示す部数変更キー９１２が押されたか否かによって、部数を変更するか否かを判別する。部数を変更する場合はステップＳ５７１に進み、図１３に示す画面において部数を入力し、図１３のプリント開始キー９１３を押下することでプリントが開始され、ステップＳ５７２およびステップＳ５７３に進む。ステップＳ５７０で、部数変更キー９１２が押されず、図１３のプリント開始キー９１３が押されて、部数を変更しないと判別された場合も、プリントが開始され、ステップＳ５７２およびステップＳ５７３に進む。
【００９８】
ステップＳ５７２は送信側複写機でのプリント処理であり、ステップＳ５７３、ステップＳ５７４は受信側複写機でのプリント処理であり、双方の処理は並行して行われる。
【００９９】
ステップＳ５７２では、送信側複写機が指定部数分だけプリントを行う。ステップＳ５７３では、送信側複写機が受信側複写機へ部数情報のみを転送する。ステップＳ５７４では、受信側複写機が自装置のメモリ３２４から画像データを読み出し、データ処理部３２６を介してプリンタ部２に転送し、受け取った部数情報に従い、指定部数分だけプリントを行い、終了する。
【０１００】
お試しコピーを行う機器として送受信側双方の複写機が選択されていた場合にはステップＳ６０１において、図１２のプリント開始キー８１４が押下されと、ステップＳ６０１で、送信側複写機が原稿画像をスキャンし、自装置の画像データをメモリ３２４に蓄積し、ステップＳ６０２およびステップＳ６０３に進む。ステップＳ６０２は送信側複写機でのお試しプリント処理であり、ステップＳ６０３、ステップＳ６０４は受信側複写機でのお試しプリント処理であり、双方は並行して行われることになる。
【０１０１】
ステップＳ６０２では、送信側複写機が、自装置のメモリ３２４から画像データを読み出し、１部だけプリントを行う。ステップＳ６０３では、送信側複写機が、自装置のメモリ３２４から原稿画像データを読み出し、ネットワーク処理部７、ネットワーク１４を介して、受信側複写機１３へ転送する。ステップＳ６０４では、受信側複写機が、受信した画像データを自装置のメモリ３２４に一時蓄える。そして受信側複写機が、格納された原稿画像データを読み出し、データ処理部３２６を介してプリンタ部２に転送し、１部プリントを行う。
【０１０２】
お試しコピーのプリントが実行されると、この結果得られた印刷結果をユーザが観察して、設定した印刷項目が意図した通りに正しく実行されているか否かを判断する。この判断には送受信側双方のユーザ間での協議が存在し得る。なお、このとき、動作モード設定等は保たれたまま印刷が一次的に中断されている。そして、この判断に基づき、ステップＳ６０５で、ユーザが、重連コピーを続行するか、キャンセルするかを選択する。キャンセルする場合は図１３のキャンセルキー９１４を押下することでコピー自体が終了する。重連コピーを続行すると判断した場合は、図１３のプリント開始キー９１３を押し、ステップＳ６０６に進み、残り部数の表示を行う。
【０１０３】
ステップＳ６０７では、図１３に示す部数変更キー９１２が押されたか否かによって、部数を変更するか否かを判別する。部数を変更する場合はステップＳ６０８に進み、図１３に示す画面において部数を入力し、図１３のプリント開始キー９１３を押下することでプリントが開始され、ステップＳ６０９およびステップＳ６１０に進む。ステップＳ６０７で、部数変更キー９１２が押されず、図１３のプリント開始キー９１３が押されて、部数を変更しないと判別された場合も、プリントが開始され、ステップＳ６０９およびステップＳ６１０に進む。以上のステップＳ６０７，Ｓ６０８の処理にも、送受信側双方のユーザ間での協議が存在し得る。
【０１０４】
ステップＳ６０９は送信側複写機でのプリント処理であり、ステップＳ６１０、ステップＳ６１１は受信側複写機でのプリント処理であり、双方の処理は並行して行われる。
【０１０５】
ステップＳ６０９では、送信側複写機が指定部数分だけプリントを行う。ステップＳ６１０では、送信側複写機が受信側複写機へ部数情報のみを転送する（この処理は省略されることもあり得る）。ステップＳ６１０では、受信側複写機が自装置のメモリ３２４から画像データを読み出し、データ処理部３２６を介してプリンタ部２に転送し、受け取った部数情報に従い、指定部数分だけプリントを行い、終了する。
【０１０６】
以上説明したように、第２の実施の形態でも、複数部数の重連コピー実行時において、ユーザは自分が設定した印刷項目が意図通り実行されることを予め確認することができるので、無駄な印刷出力をせずにすみ、用紙やトナーなどの浪費を防ぐことができる。またこの結果、出力終了までの時間も短縮される。さらに、ユーザの利便性向上も期待できる。
【０１０７】
本実施の形態では、受信側複写機でお試しプリントを行う際にも、部数の再設定や印刷の再開を送信側複写機で行うようにしたが、これらの指示を受信側複写機から指示できるようにしてもよい。この場合、操作者は送信側装置まで戻る手間を省くことができ、さらに迅速に出力結果を得ることができる。
【０１０８】
［他の実施の形態］
上記実施の形態では、お試しコピーとして１部を出力後、出力続行の有無の選択や出力部数の変更等を指示可能とする構成について説明したが、本発明の適用はこれに限られるものではない。例えば、１部を出力後、複写濃度、出力用紙サイズ、画質（文字、写真等）、ステイプル等、動作モードの再設定及び変更を行えるようにしてもよい。
【０１０９】
また、お試しコピーは、部数単位で行わずに、枚数単位で行っても良い。すなわち、例えば、１００枚の原稿を１部印刷出力する場合に、１枚目を試しコピーとするようにしてもよい。
【０１１０】
また、本発明を適用可能な装置は複写機に限定するものではなく、送信側装置は画像入力機能を、受信側装置は画像出力機能を有していれはよいので、例えば、ネットワークスキャナやシングルファンクションプリンタがネットワーク接続されたシステム等においても、本発明を適用することができる。
【０１１１】
特に、第２の実施の形態の重連コピーで説明した発明は、複数のネットワークプリンタとそれらを制御可能なホストコンピュータとからなるシステムにおいても適用可能である。すなわち、このシステムにおいては、ホストコンピュータが印刷データを生成する画像入力装置として機能するとともに、ホストのプリンタドライバがお試しプリントの操作部表示及びプリント指示等の制御を行えるようにしてもよい。このとき、例えば、各プリンタに予め優先度を決めておき、選択されたプリンタのなかで、優先度の高いほうのプリンタを第２の実施の形態で説明した送信側機器、低いほうを受信側機器として動作させればよい。
【０１１２】
なお、本発明の目的は、各実施の形態の機能を実現するソフトウェアのプログラムコードを記録した記憶媒体を、システム或いは装置（例えば、上記ホストコンピュータ）に供給し、そのシステム或いは装置のコンピュータ（またはＣＰＵやＭＰＵ等）が記憶媒体に格納されたプログラムコードを読み出して実行することによっても達成される（例えば、上記プリンタドライバ）。
【０１１３】
この場合、記憶媒体から読み出されたプログラムコード自体が前述した各実施の形態の機能を実現することになり、そのプログラムコードを記憶した記憶媒体は本発明を構成することになる。
【０１１４】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ−Ｒ、磁気テープ、不揮発性のメモリカード、ＲＯＭ等を用いることができる。
【０１１５】
また、コンピュータが読み出したプログラムコードを実行することにより、上記各実施の形態の機能が実現されるだけでなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【０１１６】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した各実施の形態の機能が実現される場合も含まれる。
【０１１７】
以上のように、本発明の様々な実施の形態を示し説明したが、以下に本発明の実施態様の例を列挙する。
【０１１８】
下記の実施態様１〜１５は上記第１の実施の形態に対応する。
【０１１９】
〔実施態様１〕  ネットワークで接続された少なくとも２つの画像形成装置からなる画像形成システムにおいて、
第１の画像形成装置に設けられ、第２の画像形成装置に画像データを送信する送信手段と、
前記第２の画像形成装置に設けられ、前記送信された画像データに基づく複数部数の画像形成を実行するに先立って、予め１部数分だけの画像形成を自装置に実行させる第１の画像形成指示手段と、
前記第２の画像形成装置に設けられ、前記送信された画像データに基づき、少なくとも前記複数部数の残余分の画像形成を自装置に実行させる第２の画像形成指示手段と
を有することを特徴とする画像形成システム。
【０１２０】
〔実施態様２〕  前記第２の画像形成指示手段は、前記第１の画像形成指示手段による指示に基づき画像形成された結果を見たユーザから実行指令を受け取った場合に、少なくとも前記複数部数の残余分の画像形成を自装置に実行させることを特徴とする実施態様１記載の画像形成システム。
【０１２１】
〔実施態様３〕  前記第２の画像形成指示手段は、前記第１の画像形成指示手段による指示に基づき画像形成された結果を見たユーザから取消指令を受け取った場合、少なくとも前記複数部数の残余分の画像形成を自装置に中止させることを特徴とする実施態様１記載の画像形成システム。
【０１２２】
〔実施態様４〕  前記第２の画像形成装置に設けられ、前記第１の画像形成指示手段による１部数分だけの画像形成の後、少なくとも前記残余分の値に対するユーザによる変更値を受け取る受取手段を更に有し、
前記第２の画像形成指示手段は、前記受取手段が受け取った変更値分の画像形成を自装置に実行させることを特徴とする実施態様１記載の画像形成システム。
【０１２３】
〔実施態様５〕  ネットワークで接続された少なくとも２つの画像形成装置からなる画像形成システムにおいて、
第１の画像形成装置に設けられ、自装置に保存されている画像データに基づき１部数分の画像形成を自装置に実行させる第１の画像形成指示手段と、
前記第１の画像形成装置に設けられ、前記自装置に保存されている画像データを第２の画像形成装置に送信する送信手段と、
前記第２の画像形成装置に設けられ、前記送信された画像データに基づき複数部数の画像形成を自装置に実行させる第２の画像形成指示手段と
を有することを特徴とする画像形成システム。
【０１２４】
〔実施態様６〕  前記第２の画像形成指示手段は、前記第１の画像形成指示手段による指示に基づき画像形成された結果を見たユーザから実行指令を受け取った場合に、前記画像形成を自装置に実行させることを特徴とする実施態様５記載の画像形成システム。
【０１２５】
〔実施態様７〕  前記第２の画像形成指示手段は、前記第１の画像形成指示手段による指示に基づき画像形成された結果を見たユーザから取消指令を受け取った場合、前記画像形成を自装置に実行させないことを特徴とする実施態様５記載の画像形成システム。
【０１２６】
〔実施態様８〕  前記第１の画像形成装置に設けられ、前記第１の画像形成指示手段による１部数分だけの画像形成の後、前記複数部数の値に対するユーザによる変更値を受け取る受取手段を更に有し、
前記第２の画像形成指示手段は、前記受取手段が受け取った変更値分の画像形成を自装置に実行させることを特徴とする実施態様５記載の画像形成システム。
【０１２７】
〔実施態様９〕  ネットワークで接続された少なくとも２つの画像形成装置からなる画像形成システムに適用される画像形成方法において、
第１の画像形成装置が、第２の画像形成装置に画像データを送信する送信ステップと、
前記第２の画像形成装置が、前記送信された画像データに基づく複数部数の画像形成を実行するに先立って、予め１部数分だけの画像形成を自装置に実行させる第１の画像形成指示ステップと、
前記第２の画像形成装置が、前記送信された画像データに基づき、少なくとも前記複数部数の残余分の画像形成を自装置に実行させる第２の画像形成指示ステップと
を有することを特徴とする画像形成方法。
【０１２８】
〔実施態様１０〕  前記第２の画像形成指示ステップは、前記第１の画像形成指示ステップによる指示に基づき画像形成された結果を見たユーザから実行指令を受け取った場合に、少なくとも前記複数部数の残余分の画像形成を自装置に実行させることを特徴とする実施態様９記載の画像形成方法。
【０１２９】
〔実施態様１１〕  ネットワークで接続された少なくとも２つの画像形成装置からなる画像形成システムに適用される画像形成方法において、
第１の画像形成装置が、自装置に保存されている画像データに基づき１部数分の画像形成を自装置に実行させる第１の画像形成指示ステップと、
前記第１の画像形成装置が、前記自装置に保存されている画像データを第２の画像形成装置に送信する送信ステップと、
前記第２の画像形成装置が、前記送信された画像データに基づき複数部数の画像形成を自装置に実行させる第２の画像形成指示ステップと
を有することを特徴とする画像形成方法。
【０１３０】
〔実施態様１２〕  前記第２の画像形成指示ステップは、前記第１の画像形成指示ステップによる指示に基づき画像形成された結果を見たユーザから実行指令を受け取った場合に、前記画像形成を自装置に実行させることを特徴とする実施態様１１記載の画像形成方法。
【０１３１】
〔実施態様１３〕  ネットワークで接続された少なくとも２つの画像形成装置からなる画像形成システムに適用される画像形成方法を、コンピュータに実行させるためのプログラムにおいて、
前記画像形成方法は、
第１の画像形成装置が、第２の画像形成装置に画像データを送信する送信ステップと、
前記第２の画像形成装置が、前記送信された画像データに基づく複数部数の画像形成を実行するに先立って、予め１部数分だけの画像形成を自装置に実行させる第１の画像形成指示ステップと、
前記第２の画像形成装置が、前記送信された画像データに基づき、少なくとも前記複数部数の残余分の画像形成を自装置に実行させる第２の画像形成指示ステップと
を有することを特徴とするプログラム。
【０１３２】
〔実施態様１４〕  ネットワークで接続された少なくとも２つの画像形成装置からなる画像形成システムに適用される画像形成方法をプログラムとして記憶した、コンピュータにより読み出し可能な記憶媒体において、
前記画像形成方法は、
第１の画像形成装置が、第２の画像形成装置に画像データを送信する送信ステップと、
前記第２の画像形成装置が、前記送信された画像データに基づく複数部数の画像形成を実行するに先立って、予め１部数分だけの画像形成を自装置に実行させる第１の画像形成指示ステップと、
前記第２の画像形成装置が、前記送信された画像データに基づき、少なくとも前記複数部数の残余分の画像形成を自装置に実行させる第２の画像形成指示ステップと
を有することを特徴とする記憶媒体。
【０１３３】
〔実施態様１５〕  ネットワークで接続された少なくとも２つの画像形成装置からなる画像形成システムに適用される画像形成方法をプログラムとして記憶した、コンピュータにより読み出し可能な記憶媒体において、
前記画像形成方法は、
第１の画像形成装置が、自装置に保存されている画像データに基づき１部数分の画像形成を自装置に実行させる第１の画像形成指示ステップと、
前記第１の画像形成装置が、前記自装置に保存されている画像データを第２の画像形成装置に送信する送信ステップと、
前記第２の画像形成装置が、前記送信された画像データに基づき複数部数の画像形成を自装置に実行させる第２の画像形成指示ステップと
を有することを特徴とする記憶媒体。
【０１３４】
下記の実施態様１６〜３９は上記第２の実施の形態に対応する。
【０１３５】
〔実施態様１６〕  ネットワークで接続された少なくとも２つの画像形成装置からなる画像形成システムにおいて、
第１の画像形成装置に設けられ、自装置に保存されている画像データに基づき第１の所定部数の画像形成を実行するに先立って、予め１部数分だけの画像形成を自装置に実行させる第１の画像形成指示手段と、
前記第１の画像形成装置に設けられ、前記自装置に保存されている画像データに基づき、少なくとも前記第１の所定部数の残余分の画像形成を自装置に実行させる第２の画像形成指示手段と
前記第１の画像形成装置に設けられ、前記自装置に保存されている画像データを第２の画像形成装置に送信する送信手段と、
前記第２の画像形成装置に設けられ、前記送信された画像データに基づき第２の所定部数の画像形成を自装置に実行させる第３の画像形成指示手段と
を有することを特徴とする画像形成システム。
【０１３６】
〔実施態様１７〕  前記第２および第３の画像形成指示手段はそれぞれ、前記第１の画像形成指示手段による指示に基づき画像形成された結果を見たユーザから実行指令を受け取った場合に、各画像形成を自装置に実行させることを特徴とする実施態様１６記載の画像形成システム。
【０１３７】
〔実施態様１８〕  前記第２および第３の画像形成指示手段それぞれは、前記第１の画像形成指示手段による指示に基づき画像形成された結果を見たユーザから取消指令を受け取った場合、各画像形成を自装置に実行させないことを特徴とする実施態様１６記載の画像形成システム。
【０１３８】
〔実施態様１９〕  前記第１の画像形成装置に設けられ、前記第１の画像形成指示手段による１部数分だけの画像形成の後、前記第１および第２の所定部数の値に対するユーザによる変更値を受け取る受取手段を更に有し、
前記第２および第３の画像形成指示手段はそれぞれ、前記受取手段が受け取った各変更値分に基づき各画像形成を自装置に実行させることを特徴とする実施態様１６記載の画像形成システム。
【０１３９】
〔実施態様２０〕  ネットワークで接続された少なくとも２つの画像形成装置からなる画像形成システムにおいて、
第１の画像形成装置に設けられ、第２の画像形成装置に画像データを送信する送信手段と、
前記第２の画像形成装置に設けられ、前記送信された画像データに基づく第１の所定部数の画像形成を実行するに先立って、予め１部数分だけの画像形成を自装置に実行させる第１の画像形成指示手段と、
前記第１の画像形成装置に設けられ、自装置に保存されている画像データに基づき、第２の所定部数の画像形成を自装置に実行させる第２の画像形成指示手段と、
前記第２の画像形成装置に設けられ、前記送信された画像データに基づき、少なくとも前記第１の所定部数の残余分の画像形成を自装置に実行させる第３の画像形成指示手段と
を有することを特徴とする画像形成システム。
【０１４０】
〔実施態様２１〕  前記第２および第３の画像形成指示手段はそれぞれ、前記第１の画像形成指示手段による指示に基づき画像形成された結果を見たユーザから実行指令を受け取った場合に、各画像形成を自装置に実行させることを特徴とする実施態様２０記載の画像形成システム。
【０１４１】
〔実施態様２２〕  前記第２および第３の画像形成指示手段はそれぞれ、前記第１の画像形成指示手段による指示に基づき画像形成された結果を見たユーザから取消指令を受け取った場合、各画像形成を自装置に実行させないことを特徴とする実施態様２０記載の画像形成システム。
【０１４２】
〔実施態様２３〕  前記第２の画像形成装置に設けられ、前記第１の画像形成指示手段による１部数分だけの画像形成の後、前記第１および第２の所定部数に対するユーザによる変更値を受け取る受取手段を更に有し、
前記第２および第３の画像形成指示手段はそれぞれ、前記受取手段が受け取った各変更値分に基づき各画像形成を自装置に実行させることを特徴とする実施態様２０記載の画像形成システム。
【０１４３】
〔実施態様２４〕  ネットワークで接続された少なくとも２つの画像形成装置からなる画像形成システムにおいて、
第１の画像形成装置に設けられ、自装置に保存されている画像データに基づき第１の所定部数の画像形成を実行するに先立って、予め１部数分だけの画像形成を自装置に実行させる第１の画像形成指示手段と、
前記第１の画像形成装置に設けられ、第２の画像形成装置に画像データを送信する送信手段と、
前記第２の画像形成装置に設けられ、前記送信された画像データに基づく第２の所定部数の画像形成を実行するに先立って、予め１部数分だけの画像形成を自装置に実行させる第２の画像形成指示手段と、
前記第１の画像形成装置に設けられ、前記自装置に保存されている画像データに基づき、少なくとも前記第１の所定部数の残余分の画像形成を自装置に実行させる第３の画像形成指示手段と
前記第２の画像形成装置に設けられ、前記送信された画像データに基づき、少なくとも前記第２の所定部数の残余分の画像形成を自装置に実行させる第４の画像形成指示手段と
を有することを特徴とする画像形成システム。
【０１４４】
〔実施態様２５〕  前記第３および第４の画像形成指示手段はそれぞれ、前記第１および／または第２の画像形成指示手段による指示に基づき画像形成された結果を見たユーザから実行指令を受け取った場合に、各画像形成を自装置に実行させることを特徴とする実施態様２４記載の画像形成システム。
【０１４５】
〔実施態様２６〕  前記第３および第４の画像形成指示手段それぞれは、前記第１および／または第２の画像形成指示手段による指示に基づき画像形成された結果を見たユーザから取消指令を受け取った場合、各画像形成を自装置に実行させないことを特徴とする実施態様２４記載の画像形成システム。
【０１４６】
〔実施態様２７〕  前記第１および／または第２の画像形成装置に設けられ、前記第１および／または第２の画像形成指示手段による１部数分だけの画像形成の後、前記第１および第２の所定部数の値に対するユーザによる変更値を受け取る受取手段を更に有し、
前記第３および第４の画像形成指示手段はそれぞれ、前記受取手段が受け取った各変更値分に基づき各画像形成を自装置に実行させることを特徴とする実施態様２４記載の画像形成システム。
【０１４７】
〔実施態様２８〕  ネットワークで接続された少なくとも２つの画像形成装置からなる画像形成システムに適用される画像形成方法において、
第１の画像形成装置が、自装置に保存されている画像データに基づき第１の所定部数の画像形成を実行するに先立って、予め１部数分だけの画像形成を自装置に実行させる第１の画像形成指示ステップと、
前記第１の画像形成装置が、前記自装置に保存されている画像データに基づき、少なくとも前記第１の所定部数の残余分の画像形成を自装置に実行させる第２の画像形成指示ステップと
前記第１の画像形成装置が、前記自装置に保存されている画像データを第２の画像形成装置に送信する送信ステップと、
前記第２の画像形成装置が、前記送信された画像データに基づき第２の所定部数の画像形成を自装置に実行させる第３の画像形成指示ステップと
を有することを特徴とする画像形成方法。
【０１４８】
〔実施態様２９〕  前記第２および第３の画像形成指示ステップはそれぞれ、前記第１の画像形成指示ステップによる指示に基づき画像形成された結果を見たユーザから実行指令を受け取った場合に、各画像形成を自装置に実行させることを特徴とする実施態様２８記載の画像形成方法。
【０１４９】
〔実施態様３０〕  ネットワークで接続された少なくとも２つの画像形成装置からなる画像形成システムに適用される画像形成方法において、
第１の画像形成装置が、第２の画像形成装置に画像データを送信する送信ステップと、
前記第２の画像形成装置が、前記送信された画像データに基づく第１の所定部数の画像形成を実行するに先立って、予め１部数分だけの画像形成を自装置に実行させる第１の画像形成指示ステップと、
前記第１の画像形成装置が、自装置に保存されている画像データに基づき、第２の所定部数の画像形成を自装置に実行させる第２の画像形成指示ステップと、
前記第２の画像形成装置が、前記送信された画像データに基づき、少なくとも前記第１の所定部数の残余分の画像形成を自装置に実行させる第３の画像形成指示ステップと
を有することを特徴とする画像形成方法。
【０１５０】
〔実施態様３１〕  前記第２および第３の画像形成指示ステップはそれぞれ、前記第１の画像形成指示ステップによる指示に基づき画像形成された結果を見たユーザから実行指令を受け取った場合に、各画像形成を自装置に実行させることを特徴とする実施態様３０記載の画像形成方法。
【０１５１】
〔実施態様３２〕  ネットワークで接続された少なくとも２つの画像形成装置からなる画像形成システムに適用される画像形成方法において、
第１の画像形成装置が、自装置に保存されている画像データに基づき第１の所定部数の画像形成を実行するに先立って、予め１部数分だけの画像形成を自装置に実行させる第１の画像形成指示ステップと、
前記第１の画像形成装置が、第２の画像形成装置に画像データを送信する送信ステップと、
前記第２の画像形成装置が、前記送信された画像データに基づく第２の所定部数の画像形成を実行するに先立って、予め１部数分だけの画像形成を自装置に実行させる第２の画像形成指示ステップと、
前記第１の画像形成装置が、前記自装置に保存されている画像データに基づき、少なくとも前記第１の所定部数の残余分の画像形成を自装置に実行させる第３の画像形成指示ステップと
前記第２の画像形成装置が、前記送信された画像データに基づき、少なくとも前記第２の所定部数の残余分の画像形成を自装置に実行させる第４の画像形成指示ステップと
を有することを特徴とする画像形方法。
【０１５２】
〔実施態様３３〕  前記第３および第４の画像形成指示ステップはそれぞれ、前記第１および／または第２の画像形成指示ステップによる指示に基づき画像形成された結果を見たユーザから実行指令を受け取った場合に、各画像形成を自装置に実行させることを特徴とする実施態様３２記載の画像形成方法。
【０１５３】
〔実施態様３４〕  ネットワークで接続された少なくとも２つの画像形成装置からなる画像形成システムに適用される画像形成方法を、コンピュータに実行させるためのプログラムにおいて、
前記画像形成方法は、
第１の画像形成装置が、自装置に保存されている画像データに基づき第１の所定部数の画像形成を実行するに先立って、予め１部数分だけの画像形成を自装置に実行させる第１の画像形成指示ステップと、
前記第１の画像形成装置が、前記自装置に保存されている画像データに基づき、少なくとも前記第１の所定部数の残余分の画像形成を自装置に実行させる第２の画像形成指示ステップと
前記第１の画像形成装置が、前記自装置に保存されている画像データを第２の画像形成装置に送信する送信ステップと、
前記第２の画像形成装置が、前記送信された画像データに基づき第２の所定部数の画像形成を自装置に実行させる第３の画像形成指示ステップと
を有することを特徴とするプログラム。
【０１５４】
〔実施態様３５〕  ネットワークで接続された少なくとも２つの画像形成装置からなる画像形成システムに適用される画像形成方法を、コンピュータに実行させるためのプログラムにおいて、
前記画像形成方法は、
第１の画像形成装置が、第２の画像形成装置に画像データを送信する送信ステップと、
前記第２の画像形成装置が、前記送信された画像データに基づく第１の所定部数の画像形成を実行するに先立って、予め１部数分だけの画像形成を自装置に実行させる第１の画像形成指示ステップと、
前記第１の画像形成装置が、自装置に保存されている画像データに基づき、第２の所定部数の画像形成を自装置に実行させる第２の画像形成指示ステップと、
前記第２の画像形成装置が、前記送信された画像データに基づき、少なくとも前記第１の所定部数の残余分の画像形成を自装置に実行させる第３の画像形成指示ステップと
を有することを特徴とするプログラム。
【０１５５】
〔実施態様３６〕  ネットワークで接続された少なくとも２つの画像形成装置からなる画像形成システムに適用される画像形成方法を、コンピュータに実行させるためのプログラムにおいて、
前記画像形成方法は、
第１の画像形成装置が、自装置に保存されている画像データに基づき第１の所定部数の画像形成を実行するに先立って、予め１部数分だけの画像形成を自装置に実行させる第１の画像形成指示ステップと、
前記第１の画像形成装置が、第２の画像形成装置に画像データを送信する送信ステップと、
前記第２の画像形成装置が、前記送信された画像データに基づく第２の所定部数の画像形成を実行するに先立って、予め１部数分だけの画像形成を自装置に実行させる第２の画像形成指示ステップと、
前記第１の画像形成装置が、前記自装置に保存されている画像データに基づき、少なくとも前記第１の所定部数の残余分の画像形成を自装置に実行させる第３の画像形成指示ステップと
前記第２の画像形成装置が、前記送信された画像データに基づき、少なくとも前記第２の所定部数の残余分の画像形成を自装置に実行させる第４の画像形成指示ステップと
を有することを特徴とするプログラム。
【０１５６】
〔実施態様３７〕  ネットワークで接続された少なくとも２つの画像形成装置からなる画像形成システムに適用される画像形成方法をプログラムとして記憶した、コンピュータにより読み出し可能な記憶媒体において、
前記画像形成方法は、
第１の画像形成装置が、自装置に保存されている画像データに基づき第１の所定部数の画像形成を実行するに先立って、予め１部数分だけの画像形成を自装置に実行させる第１の画像形成指示ステップと、
前記第１の画像形成装置が、前記自装置に保存されている画像データに基づき、少なくとも前記第１の所定部数の残余分の画像形成を自装置に実行させる第２の画像形成指示ステップと
前記第１の画像形成装置が、前記自装置に保存されている画像データを第２の画像形成装置に送信する送信ステップと、
前記第２の画像形成装置が、前記送信された画像データに基づき第２の所定部数の画像形成を自装置に実行させる第３の画像形成指示ステップと
を有することを特徴とする記憶媒体。
【０１５７】
〔実施態様３８〕  ネットワークで接続された少なくとも２つの画像形成装置からなる画像形成システムに適用される画像形成方法をプログラムとして記憶した、コンピュータにより読み出し可能な記憶媒体において、
前記画像形成方法は、
第１の画像形成装置が、第２の画像形成装置に画像データを送信する送信ステップと、
前記第２の画像形成装置が、前記送信された画像データに基づく第１の所定部数の画像形成を実行するに先立って、予め１部数分だけの画像形成を自装置に実行させる第１の画像形成指示ステップと、
前記第１の画像形成装置が、自装置に保存されている画像データに基づき、第２の所定部数の画像形成を自装置に実行させる第２の画像形成指示ステップと、
前記第２の画像形成装置が、前記送信された画像データに基づき、少なくとも前記第１の所定部数の残余分の画像形成を自装置に実行させる第３の画像形成指示ステップと
を有することを特徴とする記憶媒体。
【０１５８】
〔実施態様３９〕  ネットワークで接続された少なくとも２つの画像形成装置からなる画像形成システムに適用される画像形成方法をプログラムとして記憶した、コンピュータにより読み出し可能な記憶媒体において、
前記画像形成方法は、
第１の画像形成装置が、自装置に保存されている画像データに基づき第１の所定部数の画像形成を実行するに先立って、予め１部数分だけの画像形成を自装置に実行させる第１の画像形成指示ステップと、
前記第１の画像形成装置が、第２の画像形成装置に画像データを送信する送信ステップと、
前記第２の画像形成装置が、前記送信された画像データに基づく第２の所定部数の画像形成を実行するに先立って、予め１部数分だけの画像形成を自装置に実行させる第２の画像形成指示ステップと、
前記第１の画像形成装置が、前記自装置に保存されている画像データに基づき、少なくとも前記第１の所定部数の残余分の画像形成を自装置に実行させる第３の画像形成指示ステップと
前記第２の画像形成装置が、前記送信された画像データに基づき、少なくとも前記第２の所定部数の残余分の画像形成を自装置に実行させる第４の画像形成指示ステップと
を有することを特徴とする記憶媒体。
【０１５９】
【発明の効果】
以上詳述したように本発明によれば、ユーザは自分が設定した印刷項目が意図どおり実行されるか否かを予め確認することができるので、無駄な印刷出力をせずにすみ、用紙やトナーなどの浪費を防ぐことができる。またこの結果、出力終了までの時間も短縮される。さらに、ユーザの利便性向上も期待できる。
【図面の簡単な説明】
【図１】本発明に係る画像形成装置（画像処理装置）の第１の実施の形態における構成および該画像形成装置に接続される周辺機器を示すシステムブロック図である。
【図２】本発明に係る画像形成装置の機械的構成の一例を示す断面図である。
【図３】本発明に係る画像形成装置のコア部の内部構成を示すブロック図である。
【図４】本発明に係る画像形成装置の操作部の表示部に表示される基本画面を示す図である。
【図５】図４におけるプリンタ選択キーを押した際に操作部に表示される画面を示す図である。
【図６】図５において受信側複写機が選択され、ＯＫキーが押された場合に操作部に表示される画面を示す図である。
【図７】図６の画面においてお試しコピーキーが押下された場合に操作部に表示される画面を示す図である。
【図８】お試しコピー１部のプリントが出力された後に操作部に表示される画面を示す図である。
【図９】図８の画面において部数変更キーを押下した場合に表示される画面を示す図である。
【図１０】第１の実施の形態におけるお試しコピーの処理手順を示すフローチャート（１／２）である。
【図１１】第１の実施の形態におけるお試しコピーの処理手順を示すフローチャート（２／２）である。
【図１２】図６の画面においてお試しコピーキーが押下された場合に操作部に表示される第２の実施の形態における画面を示す図である。
【図１３】お試しコピー１部のプリントが出力された後に操作部に表示される第２の実施の形態における画面を示す図である。
【図１４】第２の実施の形態におけるお試しコピーの処理手順を示すフローチャート（１／３）である。
【図１５】第２の実施の形態におけるお試しコピーの処理手順を示すフローチャート（２／３）である。
【図１６】第２の実施の形態におけるお試しコピーの処理手順を示すフローチャート（３／３）である。
【符号の説明】
１・・・・・リーダ部
２・・・・・プリンタ部
３・・・・・コントローラ部
４・・・・・モデム通信部
７・・・・・ネットワーク処理部
８・・・・・ＰＤＬ展開部
９・・・・・画像形成装置（複写機、第１の画像形成装置）
１０・・・・コア部
１１・・・・コンピュータ
１２・・・・コンピュータ
１３・・・・画像形成装置（複写機、第３の画像形成装置）
１４・・・・ファックス装置
１５・・・・公衆回線網
１６・・・・ネットワーク
３２０・・・インターフェース部
３２１・・・データ処理部
３２２・・・インターフェース部
３２３・・・ＣＰＵ
３２４・・・メモリ
３２５・・・インターフェース部
３２６・・・データ処理部
３２７・・・インターフェース部
３２８・・・インターフェース部
５００・・・操作部
【図１】
2004221889.tif 000003
【図２】
2004221889.tif 000004
【図３】
2004221889.tif 000005
【図４】
2004221889.tif 000006
【図５】
2004221889.tif 000007
【図６】
2004221889.tif 000008
【図７】
2004221889.tif 000009
【図８】
2004221889.tif 000010
【図９】
2004221889.tif 000011
【図１０】
2004221889.tif 000012
【図１１】
2004221889.tif 000013
【図１２】
2004221889.tif 000014
【図１３】
2004221889.tif 000015
【図１４】
2004221889.tif 000016
【図１５】
2004221889.tif 000017
【図１６】
2004221889.tif 000018